(57)【要約】　　　（修正有）【課題】顧客が必要としている栄養素を健康状態等から分析し、その顧客が摂取する必要のある情報を提供すること。【解決手段】ＩＣカードに記憶された疾患情報を読み取るステップと、前記疾患情報を受信するステップと、受信した疾患情報に基づき、購入希望者への質問事項を作成するステップと、前記質問事項を送信するステップと、前記質問事項に対する回答事項を受信するステップと、前記疾患情報及び回答事項に基づいてサプリメント購入案を作成するステップと、サプリメント売り上げ情報に基づいて、店舗の在庫情報を更新するステップとを含む、サプリメント購入支援方法。【選択図】図３
2004013182.tif 000002
【特許請求の範囲】
【請求項１】
端末と接続可能なセンターシステムであって、
前記端末の携帯可能記憶媒体読取手段によって読み取られた疾患情報を受信する、疾患情報受信手段と、
前記疾患情報に基づいて、サプリメント購入案を作成し送信するサプリメント購入案作成送信手段と、を含むセンターシステム。
【請求項２】
端末と接続可能なセンターシステムであって、
前記端末の携帯可能記憶媒体読取手段によって読み取られた疾患情報を受信する、疾患情報受信手段と、
前記疾患情報に基づき、購入希望者への質問事項を作成しその質問事項を送信する質問事項送信手段と、
質問事項に対する購入希望者からの回答事項を受信する回答事項受信手段と、
前記疾患情報と前記回答事項に基づいて、サプリメント購入案を作成し送信するサプリメント購入案作成送信手段と、を含むセンターシステム。
【請求項３】
端末と接続可能なセンターシステムであって、
購入希望者の疾患情報を記憶する疾患情報記憶手段と、
前記端末の携帯可能記憶媒体読み取り手段によって読み取られた購入希望者情報を受信する、購入希望者情報受信手段と、
前記購入希望者情報から購入希望者を特定し、前記疾患情報記憶手段に記憶された前記購入希望者の疾患情報に基づいて、サプリメント購入案を作成し送信するサプリメント購入案作成送信手段と、を含むセンターシステム。
【請求項４】
端末と接続可能なセンターシステムであって、
購入希望者の疾患情報を記憶する疾患情報記憶手段と、
前記端末の携帯可能記憶媒体読み取り手段によって読み取られた購入希望者情報を受信する、購入希望者情報受信手段と、
前記購入希望者情報から購入希望者を特定し、前記疾患情報記憶手段に記憶された前記購入希望者の疾患情報に基づき、購入希望者への質問事項を作成しその質問事項を送信する質問事項送信手段と、
質問事項に対する購入希望者からの回答事項を受信する回答事項受信手段と、
前記疾患情報と前記回答事項に基づいて、サプリメント購入案を作成し送信するサプリメント購入案作成送信手段と、を含むセンターシステム。
【請求項５】
購入希望者の疾患情報を作成する疾患情報作成手段を含む、請求項３又は４に記載のセンターシステム。
【請求項６】
店舗の在庫情報を記憶する在庫情報記憶手段と
前記サプリメント売り上げ情報に基づいて、前記在庫情報を更新する在庫情報更新手段を含む、請求項１〜５のいずれかに記載のセンターシステム。
【請求項７】
前記在庫情報において、所定の商品の在庫が所定の数以下になった場合に、在庫不足情報を前記端末に送信する、在庫不足情報送信手段を含む、請求項６に記載のセンターシステム。
【請求項８】
前記携帯可能記憶媒体がＩＣカードである、請求項１〜７のいずれかに記載のセンターシステム。
【請求項９】
センターシステムと接続可能な端末であって、
携帯可能記憶媒体に記憶された疾患情報を読み取る、疾患情報読取手段と、
前記疾患情報に基づいてサプリメント購入案を作成する、サプリメント購入案作成手段と、を含む端末。
【請求項１０】
センターシステムと接続可能な端末であって、
携帯可能記憶媒体に記憶された疾患情報を読み取る、疾患情報読取手段と、
前記疾患情報を前記センターシステムに送信する、疾患情報送信手段と、
センターからサプリメント購入案を受信する、サプリメント購入案受信手段と、を含む端末。
【請求項１１】
センターシステムと接続可能な端末であって、
携帯可能記憶媒体に記憶された購入希望者情報を読み取る、購入希望者情報読取手段と、
前記購入希望者情報に基づいてサプリメント購入案を作成する、サプリメント購入案作成手段と、を含む端末。
【請求項１２】
センターシステムと接続可能な端末であって、
携帯可能記憶媒体に記憶された購入希望者情報を読み取る、購入希望者情報読取手段と、
前記購入希望者情報を前記センターシステムに送信する、購入希望者情報送信手段と、
センターからサプリメント購入案を受信する、サプリメント購入案受信手段と、を含む端末。
【請求項１３】
購入希望者への質問事項をセンターシステムから受信する、質問事項受信手段と、
質問事項に対する購入希望者からの回答事項をセンターシステムに送信する、回答事項送信手段と、
を含む、請求項９〜１２のいずれかに記載の端末。
【請求項１４】
前記回答事項に基づいて携帯可能記憶媒体またはセンターシステムの疾患情報記憶手段に記憶された疾患情報を更新する、疾患情報更新手段を含む、請求項９〜１３のいずれかに記載の端末。
【請求項１５】
前記携帯可能記憶媒体がＩＣカードである、請求項９〜１４のいずれかに記載の端末。
【請求項１６】
疾患情報または購入希望者情報が記憶されている携帯可能記憶媒体。
【請求項１７】
前記携帯可能記憶媒体がＩＣカード又は磁気カード請求項１６に記載の携帯可能記憶媒体。
【請求項１８】
端末と接続可能なセンターシステムであって、前記端末の携帯可能記憶媒体読取手段によって読み取られた疾患情報を受信する疾患情報受信手段と、前記疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいてサプリメント購入案を作成し送信するサプリメント購入案作成送信手段とを含むセンターシステムと、
センターシステムと接続可能な端末であって、携帯可能記憶媒体に記憶された疾患情報を読み取る疾患情報読取手段と、前記疾患情報を前記センターシステムに送信する疾患情報送信手段と、センターからサプリメント購入案を受信するサプリメント購入案受信手段と、購入希望者への質問事項をセンターシステムから受信する質問事項受信手段と、質問事項に対する購入希望者からの回答事項をセンターシステムに送信する回答事項送信手段とを含む端末と、
を含むサプリメント購入支援システム。
【請求項１９】
端末と接続可能なセンターシステムであって、購入希望者の疾患情報を記憶する疾患情報記憶手段と、前記端末の携帯可能記憶媒体読み取り手段によって読み取られた購入希望者情報を受信する、購入希望者情報受信手段と、前記購入希望者情報から購入希望者を特定し、前記疾患情報記憶手段に記憶された前記購入希望者の疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいて、サプリメント購入案を作成し送信するサプリメント購入案作成送信手段と、を含むセンターシステムと、
センターシステムと接続可能な端末であって、携帯可能記憶媒体に記憶された購入希望者情報を読み取る、購入希望者情報読取手段と、前記購入希望者情報を前記センターシステムに送信する、購入希望者情報送信手段と、センターからサプリメント購入案を受信する、サプリメント購入案受信手段と、を含む端末と、を含むサプリメント購入支援システム。
【請求項２０】
サプリメント購入支援方法であって、
疾患情報を読み取る疾患情報読取ステップと、
前記疾患情報を送信する疾患情報送信ステップと、
前記疾患情報を受信する疾患情報受信ステップと、
前記疾患情報に基づき、購入希望者への質問事項を作成しその質問事項を送信する質問事項送信ステップと、
購入希望者への質問事項をセンターシステムから受信する質問事項受信ステップと、
質問事項に対する購入希望者からの回答事項をセンターシステムに送信する回答事項送信ステップと、
質問事項に対する購入希望者からの回答事項を受信する回答事項受信ステップと、
前記疾患情報と前記回答事項に基づいてサプリメント購入案を作成し送信するサプリメント購入案作成送信ステップと、
センターからサプリメント購入案を受信するサプリメント購入案受信ステップと、を含むサプリメント購入支援方法。
【請求項２１】
サプリメント購入支援方法であって、
購入希望者の疾患情報を記憶する疾患情報記憶ステップと、
携帯可能記憶媒体に記憶された購入希望者情報を読み取る、購入希望者情報読取ステップと、
前記購入希望者情報を前記センターシステムに送信する、購入希望者情報送信ステップと、
前記購入希望者情報を受信する、購入希望者情報受信ステップと、
前記購入希望者情報から購入希望者を特定し、前記疾患情報記憶ステップに記憶された前記購入希望者の疾患情報に基づき、購入希望者への質問事項を作成しその質問事項を送信する質問事項送信ステップと、
質問事項に対する購入希望者からの回答事項を受信する回答事項受信ステップと、
前記疾患情報と前記回答事項に基づいて、サプリメント購入案を作成し送信するサプリメント購入案作成送信ステップと、
サプリメント購入案を受信するサプリメント購入案受信ステップと、を含むサプリメント購入支援方法。
【発明の詳細な説明】
【０００１】
【発明の属する技術分野】
本願発明は、サプリメント購入支援のための携帯可能記憶媒体、サプリメント購入支援システム及びサプリメント購入支援方法に関する。
【０００２】
【従来の技術】
我々が摂取している、野菜、果物等の食物は、長年の農薬の使用や品種改良等によって、見栄えは良いが、その栄養素は年々少なくなってきている。また、食生活の変化により、冷凍食品、缶詰め、レトルト食品等の加工食品等の摂取が増加する近頃では、益々われわれの摂取する栄養において偏りまたは不足が生じている。
【０００３】
さらに、我々の最近の生活習慣においても、運動不足、偏食、飲酒、睡眠不足、喫煙、ストレス等も、さらなる栄養の偏りや不足を招いている。
【０００４】
このような、栄養の偏りや不足を防止し、疾患を防止するためにも、必要なすべての栄養素をバランス良く取り入れることが求められている。
【０００５】
このような状況の下、健康状態及び患う可能性のある疾病等を考慮して、サプリメントによる摂取が必要な栄養素を明確にする必要性が増加してきている。そこで、サプリメント購入希望者は自分自身で、健康状態等を検討し、その検討結果に基づいて、栄養補助食品を決定し摂取している。
【０００６】
しかしながら、サプリメント購入希望者には自己の健康状態を正確に把握することは難しい。その健康状態から摂取が必要な栄養素を分析することは、さらに難しく顧客にとって大きな負担である。
【０００７】
【発明が解決しようとする課題】
そこで本発明は、例えば、顧客が必要としている栄養素を健康状態等から分析し、その顧客が摂取する必要のある情報を提供することを目的とする。
【０００８】
【課題を解決するための手段】
本発明は、端末と接続可能なセンターシステムであって、前記端末の携帯可能記憶媒体読取手段によって読み取られた疾患情報を受信する、疾患情報受信手段と、前記疾患情報に基づいて、サプリメント購入案を作成し送信するサプリメント購入案作成送信手段と、を含むセンターシステムを提供する。　また、本発明は、端末と接続可能なセンターシステムであって、前記端末の携帯可能記憶媒体読取手段によって読み取られた疾患情報を受信する、疾患情報受信手段と、前記疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいて、サプリメント購入案を作成し送信するサプリメント購入案作成送信手段と、を含むセンターシステムを提供する。
【０００９】
本発明は、端末と接続可能なセンターシステムであって、購入希望者の疾患情報を記憶する疾患情報記憶手段と、前記端末の携帯可能記憶媒体読み取り手段によって読み取られた購入希望者情報を受信する、購入希望者情報受信手段と、前記購入希望者情報から購入希望者を特定し、前記疾患情報記憶手段に記憶された前記購入希望者の疾患情報に基づいて、サプリメント購入案を作成し送信するサプリメント購入案作成送信手段と、を含むセンターシステムを提供する。
また、本発明は、端末と接続可能なセンターシステムであって、購入希望者の疾患情報を記憶する疾患情報記憶手段と、前記端末の携帯可能記憶媒体読み取り手段によって読み取られた購入希望者情報を受信する、購入希望者情報受信手段と、前記購入希望者情報から購入希望者を特定し、前記疾患情報記憶手段に記憶された前記購入希望者の疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいて、サプリメント購入案を作成し送信するサプリメント購入案作成送信手段と、を含むセンターシステムを提供する。
【００１０】
前記センターシステムは、購入希望者の疾患情報を作成する疾患情報作成手段を含むことが好ましい。
【００１１】
また、前記センターシステムは、店舗の在庫情報を記憶する在庫情報記憶手段と前記サプリメント売り上げ情報に基づいて前記在庫情報を更新する在庫情報更新手段を含む、ことが好ましい。
【００１２】
さらに、前記センターシステムは、前記在庫情報において、所定の商品の在庫が所定の数以下になった場合に、在庫不足情報を前記端末に送信する、在庫不足情報送信手段を含むことが好ましい。
また、前記センターシステムにおいて、前記携帯可能記憶媒体がＩＣカードであることが好ましい。
【００１３】
本発明は、センターシステムと接続可能な端末であって、携帯可能記憶媒体に記憶された疾患情報を読み取る、疾患情報読取手段と、前記疾患情報に基づいてサプリメント購入案を作成する、サプリメント購入案作成手段と、を含む端末を提供する。
【００１４】
本発明は、センターシステムと接続可能な端末であって、携帯可能記憶媒体に記憶された疾患情報を読み取る、疾患情報読取手段と、前記疾患情報を前記センターシステムに送信する、疾患情報送信手段と、センターからサプリメント購入案を受信する、サプリメント購入案受信手段と、を含む端末を提供する。
本発明は、センターシステムと接続可能な端末であって、携帯可能記憶媒体に記憶された購入希望者情報を読み取る、購入希望者情報読取手段と、前記購入希望者情報に基づいてサプリメント購入案を作成する、サプリメント購入案作成手段と、を含む端末を提供する。
【００１５】
また、本発明は、センターシステムと接続可能な端末であって、携帯可能記憶媒体に記憶された購入希望者情報を読み取る、購入希望者情報読取手段と、前記購入希望者情報を前記センターシステムに送信する、購入希望者情報送信手段と、センターからサプリメント購入案を受信する、サプリメント購入案受信手段と、を含む端末を提供する。
【００１６】
前記端末は、購入希望者への質問事項をセンターシステムから受信する、質問事項受信手段と、質問事項に対する購入希望者からの回答事項をセンターシステムに送信する、回答事項送信手段と、を含むことが好ましい。
【００１７】
また、前記端末は、前記回答事項に基づいて携帯可能記憶媒体またはセンターシステムの疾患情報記憶手段に記憶された疾患情報を更新する、疾患情報更新手段を含むことが好ましい。
【００１８】
前記端末において、前記携帯可能記憶媒体がＩＣカードであることが好ましい。
【００１９】
また、本発明は、疾患情報または購入希望者情報が記憶されている携帯可能記憶媒体を提供する。
【００２０】
前記携帯可能記憶媒体がＩＣカード又は磁気カードであることが好ましい。
【００２１】
本発明は、端末と接続可能なセンターシステムであって、前記端末の携帯可能記憶媒体読取手段によって読み取られた疾患情報を受信する疾患情報受信手段と、前記疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいてサプリメント購入案を作成し送信するサプリメント購入案作成送信手段とを含むセンターシステムと、センターシステムと接続可能な端末であって、携帯可能記憶媒体に記憶された疾患情報を読み取る疾患情報読取手段と、前記疾患情報を前記センターシステムに送信する疾患情報送信手段と、センターからサプリメント購入案を受信するサプリメント購入案受信手段と、購入希望者への質問事項をセンターシステムから受信する質問事項受信手段と、質問事項に対する購入希望者からの回答事項をセンターシステムに送信する回答事項送信手段とを含む端末と、を含むサプリメント購入支援システムを提供する。
【００２２】
また、本発明は、端末と接続可能なセンターシステムであって、購入希望者の疾患情報を記憶する疾患情報記憶手段と、前記端末の携帯可能記憶媒体読み取り手段によって読み取られた購入希望者情報を受信する、購入希望者情報受信手段と、前記購入希望者情報から購入希望者を特定し、前記疾患情報記憶手段に記憶された前記購入希望者の疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいて、サプリメント購入案を作成し送信するサプリメント購入案作成送信手段と、を含むセンターシステムと、センターシステムと接続可能な端末であって、携帯可能記憶媒体に記憶された購入希望者情報を読み取る、購入希望者情報読取手段と、前記購入希望者情報を前記センターシステムに送信する、購入希望者情報送信手段と、センターからサプリメント購入案を受信する、サプリメント購入案受信手段と、を含む端末と、を含むサプリメント購入支援システムを提供する。
【００２３】
本発明は、サプリメント購入支援方法であって、疾患情報を読み取る疾患情報読取ステップと、前記疾患情報を送信する疾患情報送信ステップと、前記疾患情報を受信する疾患情報受信ステップと、前記疾患情報に基づき、購入希望者への質問事項を作成しその質問事項を送信する質問事項送信ステップと、購入希望者への質問事項をセンターシステムから受信する質問事項受信ステップと、質問事項に対する購入希望者からの回答事項をセンターシステムに送信する回答事項送信ステップと、質問事項に対する購入希望者からの回答事項を受信する回答事項受信ステップと、前記疾患情報と前記回答事項に基づいてサプリメント購入案を作成し送信するサプリメント購入案作成送信ステップと、センターからサプリメント購入案を受信するサプリメント購入案受信ステップと、を含むサプリメント購入支援方法を提供する。
【００２４】
また、本発明は、サプリメント購入支援方法であって、購入希望者の疾患情報を記憶する疾患情報記憶ステップと、携帯可能記憶媒体に記憶された購入希望者情報を読み取る、購入希望者情報読取ステップと、前記購入希望者情報を前記センターシステムに送信する、購入希望者情報送信ステップと、前記購入希望者情報を受信する、購入希望者情報受信ステップと、前記購入希望者情報から購入希望者を特定し、前記疾患情報記憶ステップに記憶された前記購入希望者の疾患情報に基づき、購入希望者への質問事項を作成しその質問事項を送信する質問事項送信ステップと、質問事項に対する購入希望者からの回答事項を受信する回答事項受信ステップと、前記疾患情報と前記回答事項に基づいて、サプリメント購入案を作成し送信するサプリメント購入案作成送信ステップと、サプリメント購入案を受信するサプリメント購入案受信ステップと、を含むサプリメント購入支援方法を提供する。
【００２５】
【発明の実施の形態】
以下、本発明に係るサプリメント購入支援システムについて詳細に説明する。
【００２６】
（第１の実施形態：ＩＣカードに疾患情報を記憶する購入支援システム）
【００２７】
第１の実施形態は、ＩＣカードに疾患情報を記憶する購入支援システムである。すなわち、端末と接続可能なセンターシステムであって、前記端末の携帯可能記憶媒体読取手段によって読み取られた疾患情報を受信する疾患情報受信手段と、前記疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいてサプリメント購入案を作成し送信するサプリメント購入案作成送信手段とを含むセンターシステムと、センターシステムと接続可能な端末であって、携帯可能記憶媒体に記憶された疾患情報を読み取る疾患情報読取手段と、前記疾患情報を前記センターシステムに送信する疾患情報送信手段と、センターからサプリメント購入案を受信するサプリメント購入案受信手段と、購入希望者への質問事項をセンターシステムから受信する質問事項受信手段と、質問事項に対する購入希望者からの回答事項をセンターシステムに送信する回答事項送信手段とを含む端末と、を含むサプリメント購入支援システムである。
【００２８】
次に、第一の実施形態について、図１のネットワークを示す模式図、図２のＩＣカードの発行を示すフローチャート、及び図３のサプリメントの提供過程を示すフローチャートを参照しつつ詳細に説明する。
【００２９】
（ネットワークの構成）
【００３０】
図１に示すように、本発明のサプリメント購入支援システムは、ＩＣカード発行システム１ａ、センターシステム２、少なくとも１台の端末３、及びＩＣカードを必要とする。
【００３１】
図１に示すように、ＩＣカード発行システム１ａは、疾患情報書き込み手段１０１、疾患情報作成手段１０２及び記憶手段１０３を有する。
【００３２】
疾患情報書き込み手段１０１は、データの書き込みができるＩＣカードに疾患情報を記憶させる手段である。疾患情報作成手段１０２は、購入希望者の健康情報、及び健康情報と疾病との関係を示すデータベースに基づいて購入希望者の患う可能性のある疾病を想定する手段である。また、記憶手段１０３は、前記データベース、購入希望者の健康情報等を記憶することができるハードディスク等である。
【００３３】
センターシステム２は　疾患情報受信手段２００、質問事項送信手段２０１、質問事項作成手段２０２、回答事項受信手段２０３、サプリメント購入案作成手段２０４、サプリメント購入案送信手段２０５、在庫情報記憶手段２０６、在庫情報更新手段２０７、在庫不足情報送信手段２０８及び売り上げ情報受信手段２０９を有する。
【００３４】
センターシステム２として、例えば、コンピュータシステム等が挙げられる。センターシステム２が有する各種受信手段及び送信手段（例えば、疾患情報受信手段２００、質問事項送信手段２０１、回答事項受信手段２０３、サプリメント購入案送信手段２０５、在庫不足情報送信手段２０８、売り上げ情報受信手段２０９等）として、例えばモデムやＴＡ等が挙げられる。また、在庫情報記憶手段２０６はハードディスク等が挙げられる。質問事項作成手段２０２は、購入希望者の疾患情報に基づいて、サプリメント購入案を作成するために有用となり得る情報を入手するために、購入希望者への質問事項を作成する手段である。サプリメント購入案作成手段２０４は、疾患情報又は購入希望者の回答事項に基いて、サプリメントの購入案を作成する手段である。
【００３５】
端末３は、疾患情報読取手段３０１、疾患情報送信手段３０２、サプリメント購入案受信手段３０３、質問事項受信手段３０４、回答事項送信手段３０５、疾患情報更新手段３０６、売り上げ情報送信手段３０７、表示手段３０８及び入力手段３０９を有する。端末３としては、たとえば、コンピュータシステム等が挙げられる。端末３が有する受信手段及び送信手段として、例えばモデムやＴＡ等が挙げられる。
【００３６】
端末３が有する各種受信手段及び送信手段（例えば、疾患情報送信手段３０２、サプリメント購入案受信手段３０３、質問事項受信手段３０４、回答事項送信手段３０５、売り上げ情報送信手段３０７等）として、例えばモデムやＴＡ等が挙げられる。疾患情報読取手段３０１は、例えば、購入希望者の有するＩＣカードに記憶された疾患情報を読み取る手段である。疾患情報更新手段３０６は、購入希望者の疾患情報及び回答事項に基づいて、購入希望者のＩＣカードに記憶された疾患情報を更新する手段である。表示手段３０８としては、ＣＲＴディスプレイ、液晶ディスプレイ等が挙げられる。入力手段３０９としては、マウスやキーボード等が挙げられる。
【００３７】
（ＩＣカードの発行）
【００３８】
次に、図２のＩＣカードの発行を示すフローチャートに基づいて、本発明におけるＩＣカードの発行について説明する。
【００３９】
まず、事業者は購入希望者（顧客）へアンケートを送付する。そのアンケートに購入希望者は自分の健康状態を記入する。購入希望者の健康状態が記入されたアンケートは事業者に返信される。このようにして、顧客の健康情報を入手する（Ｓ１０１）。ここで、事業者は上記アンケートに記載された健康状態に関する情報を健康情報として、ＩＣカード発行システムの記憶手段１０３に記憶させる（Ｓ１０２）。これらの情報はＩＣカード発行システムまたはセンターシステム２に記憶させることができる。
【００４０】
ところで、ある薬物が人によってまったく効き具合が違うことはよく知られている。この原因の１つとして個人間で身体に発現している蛋白質の量や質が微妙に違うということが考えられている。これにＳＮＰが関与している可能性がある。そのため、後述の疾患情報を作成するために、前記健康情報に加えてＳＮＰ解析結果を追加健康情報として利用する方が好ましい。
【００４１】
そこで、購入希望者にＳＮＰ（Ｓｉｎｇｌｅ　Ｎｕｃｌｅｏｔｉｄｅ　Ｐｏｌｙｍｏｒｐｈｉｓｍ）解析を希望する場合には、購入希望者に口腔粘膜採取用のキットを送る又は最寄りの医療機関を紹介する。口腔粘膜採取用のキットが購入希望者に送られた場合には、購入希望者は自分の血液又は口腔粘膜を採取し、採取した血液又は口腔粘膜のサンプルをＳＮＰセンターへ送付する。一方、医療機関を紹介された場合には、その医療機関は購入希望者の血液又は口腔粘膜細胞を採取し、その場でＳＮＰ解析を行う、又は、ＳＮＰ解析センターへ採取した血液又は口腔粘膜細胞のサンプルを送付し、ＳＮＰ解析センターでＳＮＰ解析が行われる。
【００４２】
前記ＳＮＰ解析結果は医療機関又はＳＮＰ解析センターから事業者へ送られる。ここで、事業者はＳＮＰ解析結果をＩＣカード発行システム１ａの記憶手段１０３に追加健康情報として記憶させる（Ｓ１０２）。その情報はＩＣカード発行システムまたはセンターシステム２に記憶させることができる。
【００４３】
ＩＣカード発行システム１ａの疾患情報作成手段１０２は、記憶手段１０３に記憶された前記健康情報（追加健康情報を有する場合には、前記健康情報及び前記追加健康情報）に基づいて、購入希望者が将来的患う可能性のある病気、現在患っている又は現在患っている可能性のある病気（例えば、糖尿病、動脈硬化症、高血圧症、高脂血症、尿酸血症、大腸癌、胃癌、肺癌、アトピー性皮膚炎等）等を分析し、疾患情報を作成する（Ｓ１０３）。なお、前記健康情報をセンターシステムで受信し、前記健康情報に基づいて疾患情報を前記センターシステムで作成することもできる。
【００４４】
次に、データの入っていないＩＣカードを用意し、ＩＣカード発行システム１ａの疾患情報書き込み手段１０１が前記ＩＣカードに前記疾患情報を記憶させる（Ｓ１０４）。このようにして、ＩＣカード発行システム１ａによって、購入希望者自身の健康情報等に基づく疾患情報が記憶されたＩＣカードが発行される（Ｓ１０５）。事業者は前記ＩＣカードを購入希望者へ送付する（Ｓ１０６）。
【００４５】
上記ＩＣカード発行システム１ａでは、そのシステム内に疾患情報作成手段を有している。しかし、センターシステム２が疾患情報作成手段を有していても良い。具体的には、ＩＣカード発行システム１ａが、購入希望者の健康情報をセンターシステムに送信し、センターシステム２の疾患情報作成手段、購入希望者の患う可能性のある疾病を想定する疾患情報作成し、その疾患情報をＩＣカード発行システムに送信してもよい。ここの場合には、前記疾患情報は暗号化して送信されることが好ましい。
【００４６】
（サプリメント購入支援システム）
【００４７】
図３のサプリメントの提供過程を示すフローチャートに基づいて、本発明におけるサプリメントの提供について説明する。
【００４８】
ＩＣカード発行システム１ａ、端末２及びセンターシステム３との間で送受信される情報は、他人が容易に前記情報にアクセスできないようにするため、暗号化されることが好ましい。
【００４９】
サプリメントを購入する場合、サプリメント購入希望者は事業者から送付されたＩＣカードを持参して、サプリメントを販売する店舗へ行く。店舗にはＩＣカードに記憶された疾患情報を読取可能な読取手段３１を有する端末３が配置されている。
【００５０】
購入希望者が持参したＩＣカードは端末３に挿入され、端末３の疾患情報読取手段３０１によって、ＩＣカードに記憶された疾患情報は読み取られる（Ｓ２０１）。端末３の疾患情報送信手段３０２は、読み取られた疾患情報をセンターシステム２へ送信する（Ｓ２０２）。そして、センターシステム２の疾患情報受信手段２００は前記疾患情報を受信する（Ｓ２０３）。
【００５１】
センターシステム２の質問事項作成手段２０２は、受信した疾患情報に基づき購入希望者への質問事項を作成する（Ｓ２０４）。質問事項は、購入希望者の疾患情報として得られているアンケート中の既往歴、家族歴、生活習慣、ＢＭＩおよび／またはＳＮＰ情報を利用し作成される。例えば、ＳＮＰ情報を利用する場合として、購入希望者のＳＮＰ情報の中の、ＭＴＨＦＲ（メチレンテトラヒドロフェレートレダクターゼ）遺伝子の６７７番目の塩基のＳＮＰ情報（塩基の種類についての情報）がＴＴ型（二本の染色体ともチミン）である場合には、「最近の健診で動脈硬化が進んでいると言われていないか」という質問事項を設ける。その他、購入希望者のＳＮＰ情報の中のＡｐｏＥ遺伝子のＳＮＰ情報がε４型である場合には、「最近物忘れをよくするようになったことはないか」という質問事項を設ける。このように、各ＳＮＰ情報とそれと関連のある疾患リスクから適切な質問事項を設定する。
【００５２】
前記質問事項は、センターシステム２の質問事項送信手段２０１によって端末３に送信される（Ｓ２０５）。端末３の質問事項受信手段３０４は前記質問事項を受信する（Ｓ２０６）。受信した質問事項は、端末３の表示手段３０８によって表示される（Ｓ２０７）。また、質問事項は、プリンタ等によって印刷することもできる。
【００５３】
表示された質問事項に対して購入希望者は回答する。そして、前記回答事項は端末３の入力手段３０９によって入力される（Ｓ２０８）。前記回答事項は、端末３の回答事項送信手段３０５によってセンターシステム２に送信される（Ｓ２０９）。
【００５４】
センターシステム２の回答事項受信手段２４によって、前記回答事項はセンターシステム２に受信される（Ｓ２１０）。センターシステム２のサプリメント購入案作成手段２０４は前記疾患情報及び前記回答事項に基づいて、サプリメント購入案を作成する（Ｓ２１１）。サプリメント購入案とは、例えば購入希望者が摂取するのに最適なサプリメントに関する情報である。購入希望者はこのサプリメント購入案に従って、店舗でサプリメントを購入することができる。
【００５５】
ここで、サプリメント購入案は複数あってもよい。すなわち、複数のサプリメント購入案を用意し、購入希望者がその中の情報から自分に合った情報を選択することもできる。
【００５６】
その後、前記サプリメント購入案は、センターシステム２のサプリメント購入案送信手段２０５によって、端末３に送信される（Ｓ２１２）。前記サプリメント購入案は、端末３のサプリメント購入案受信手段３０３によって受信される（Ｓ２１３）。端末３で受信された前記サプリメント購入案は、端末３の表示手段３０８等によって表示され、購入希望者に開示される。そして、購入希望者は、そのサプリメント購入案に従って、店舗でサプリメントを購入する（Ｓ２１４）。
【００５７】
また、図３のフローチャートには記載されていないが、店舗でのサプリメントの売り上げに関するサプリメント売り上げ情報は、端末３の売り上げ情報送信手段３０７を用いてセンターシステム２に送信される。
【００５８】
前記売り上げ情報は、センターシステム２の、売り上げ情報受信手段２０９によって受信される。センターシステム２の在庫情報更新手段２０７は、前記サプリメント売り上げ情報に基づいて、センターシステム２の在庫情報記憶手段２０６に記憶された在庫情報を更新する。
【００５９】
前記更新後の在庫情報において、店舗の所定のサプリメントが所定の数以下となった場合に、センターシステム２の在庫不足情報送信手段２０８は在庫不足情報を端末３に送信する。これによって、店舗のサプリメントの品切れを防ぐことができる。センターシステム２は、在庫不足情報に従って、不足しているサプリメントを発注する手段を有することもできる。
【００６０】
また、図３のフローチャートには記載されていないが、センターシステム２が受信した前記回答事項及び、前記疾患情報に基づいて、センターシステム２が購入希望者の新たな疾患情報を作成し、端末３に送信することもできる。この場合には、端末３に送信された新たな疾患情報を端末３の疾患情情報更新手段３６が購入希望者のＩＣカードに記憶された疾患情報を更新する。
【００６１】
端末でＩＣカードに記憶された疾患情報を読み取ってからサプリメントを購入するまでの間、疾患情報、質問事項、回答事項、サプリメント購入案等の情報が端末に一時的に記憶させることが可能である。しかし、それらの情報の中で一時的に端末に記憶された情報については、その秘密性から、サプリメント購入後に速やかにその情報が消去されることが好ましい。
【００６２】
なお、本実施態様では、センターシステム２において、サプリメント購入案を作成している。しかし、その他の実施態様として、端末３で前記疾患情報及び前記回答事項に基づいて、サプリメント購入案を作成することも可能である。
【００６３】
（第２の実施形態：センターシステムに疾患情報を記憶する購入支援システム）
【００６４】
第２の実施形態は、センターシステムに疾患情報を記憶する購入支援システムである。すなわち、端末と接続可能なセンターシステムであって、購入希望者の疾患情報を記憶する疾患情報記憶手段と、前記端末の携帯可能記憶媒体読み取り手段によって読み取られた購入希望者情報を受信する、購入希望者情報受信手段と、前記購入希望者情報から購入希望者を特定し、前記疾患情報記憶手段に記憶された前記購入希望者の疾患情報に基づき、購入希望者への質問事項を作成しその質問事項を送信する質問事項送信手段と、質問事項に対する購入希望者からの回答事項を受信する回答事項受信手段と、前記疾患情報と前記回答事項に基づいて、サプリメント購入案を作成し送信するサプリメント購入案作成送信手段と、を含むセンターシステムと、センターシステムと接続可能な端末であって、携帯可能記憶媒体に記憶された購入希望者情報を読み取る、購入希望者情報読取手段と、前記購入希望者情報を前記センターシステムに送信する、購入希望者情報送信手段と、センターからサプリメント購入案を受信する、サプリメント購入案受信手段と、を含む端末と、を含むサプリメント購入支援システムである。
【００６５】
次に、第２の実施形態について、図４のネットワークを示す模式図、及び図５のサプリメントの提供過程を示すフローチャートを参照しつつ詳細に説明する。
【００６６】
（ネットワークの構成）
【００６７】
図４に示すように、本発明のサプリメント購入支援システムは、磁気カード発行システム１ｂ、センターシステム２、少なくとも１台の端末３、及び磁気カードを必要とする。
【００６８】
図１に示すように、磁気カード発行システム１ｂは、購入希望者情報書き込み手段１０４及び記憶手段１０３を有する。
【００６９】
購入希望者情報書き込み手段１０４は、データの書き込みができる磁気カードに疾患情報を記憶させる手段である。また、記憶手段１０３は、前記データベース、購入希望者の健康情報等を記憶することができるハードディスク等である。購入希望者情報として、例えば購入希望者の氏名、顧客番号等が挙げられる。
【００７０】
センターシステム２は　購入希望者情報受信手段２１０、疾患情報作成手段２１１、疾患情報記憶手段２１２、質問事項送信手段２０１、質問事項作成手段２０２、回答事項受信手段２０３、サプリメント購入案作成手段２０４、サプリメント購入案送信手段２０５、在庫情報記憶手段２０６、在庫情報更新手段２０７、在庫不足情報送信手段２０８及び売り上げ情報受信手段２０９を有する。
【００７１】
センターシステム２として、例えば、コンピュータシステム等が挙げられる。センターシステム２が有する各種受信手段及び送信手段（例えば、購入希望者情報受信手段２１０、質問事項送信手段２０１、回答事項受信手段２０３、サプリメント購入案送信手段２０５、在庫不足情報送信手段２０８、売り上げ情報受信手段２０９等）として、例えばモデムやＴＡ等が挙げられる。また、疾患情報記憶手段２１２、在庫情報記憶手段２０６はハードディスク等が挙げられる。質問事項作成手段２０２は、購入希望者の疾患情報に基づいて、サプリメント購入案を作成するために有用となり得る情報を入手するために、購入希望者への質問事項を作成する手段である。サプリメント購入案作成手段２０４は、疾患情報又は購入希望者の回答事項に基づいて、サプリメントの購入案を作成する手段である。疾患情報作成手段２１１は、購入希望者の健康情報、及び健康情報と疾病との関係を示すデータベースに基づいて購入希望者の患う可能性のある疾病を想定する手段である。
【００７２】
端末３は、購入希望者情報読取手段３１０、購入希望者情報送信手段３１１、サプリメント購入案受信手段３０３、質問事項受信手段３０４、回答事項送信手段３０５、疾患情報更新手段３０６、売り上げ情報送信手段３０７、表示手段３０８及び入力手段３０９を有する。端末３としては、たとえば、コンピュータシステム等が挙げられる。端末３が有する受信手段及び送信手段として、例えばモデムやＴＡ等が挙げられる。
【００７３】
端末３が有する各種受信手段及び送信手段（例えば、購入希望者情報送信手段３１１、サプリメント購入案受信手段３０３、質問事項受信手段３０４、回答事項送信手段３０５、売り上げ情報送信手段３０７等）として、例えばモデムやＴＡ等が挙げられる。購入希望者情報読取手段３１０は、例えば、購入希望者の有する磁気カードに記憶された疾患情報を読み取る手段である。疾患情報更新手段３０６は、購入希望者の疾患情報及び回答事項に基づいて、購入希望者の磁気カードに記憶された疾患情報を更新する手段である。表示手段３０８としては、ＣＲＴディスプレイ、液晶ディスプレイ等が挙げられる。入力手段３０９としては、マウスやキーボード等が挙げられる。
【００７４】
（磁気カードの発行）
【００７５】
次に、本発明における磁気カードの発行について説明する。磁気カードには購入希望者情報を保存する。事業者は前記磁気カードを購入希望者へ送付する。
【００７６】
また、第１の実施形態と同様に、事業者は購入希望者の健康情報、追加健康情報等を入手する。そしてセンターシステムの疾患情報作成手段２１１によって疾患情報を作成し、センターシステム２の記憶手段に記憶させる。
【００７７】
（サプリメント購入支援システム）
【００７８】
図５のサプリメントの提供過程を示すフローチャートに基づいて、本発明におけるサプリメントの提供について説明する。
【００７９】
磁気カード発行システム１ｂ、端末２及びセンターシステム３との間で送受信される情報は、他人が容易に前記情報にアクセスできないようにするため、暗号化されることが好ましい。
【００８０】
サプリメントを購入する場合、サプリメント購入希望者は事業者から送付された磁気カードを持参して、サプリメントを販売する店舗へ行く。店舗には磁気カードに記憶された疾患情報を読取可能な読取手段３１を有する端末３が配置されている。
【００８１】
購入希望者が持参した磁気カードは端末３に挿入され、端末３の購入希望者情報読取手段３１０によって、磁気カードに記憶された購入希望者情報は読み取られる（Ｓ３０１）。端末３の購入希望者情報送信手段３１１は、読み取られた疾患情報をセンターシステム２へ送信する（Ｓ３０２）。そして、センターシステム２の購入希望者情報受信手段２１０は購入希望者疾患情報を受信する（Ｓ３０３）。
【００８２】
センターシステム２の質問事項作成手段２０２は、受信した購入希望者情報に基づき購入希望者を特定する（Ｓ３０４ａ）。センターシステム２の疾患情報記憶手段２１２に記憶されている前記購入希望者の疾患情報に基づき、購入希望者への質問事項を作成する（Ｓ３０４ｂ）。質問事項の作成は第１の実施形態と同様である。
【００８３】
前記質問事項は、センターシステム２の質問事項送信手段２０１によって端末３に送信される（Ｓ３０５）。端末３の質問事項受信手段３０４は前記質問事項を受信する（Ｓ３０６）。受信した質問事項は、端末３の表示手段３０８によって表示される（Ｓ３０７）。また、質問事項は、プリンタ等によって印刷することもできる。
【００８４】
表示された質問事項に対して購入希望者は回答する。そして、前記回答事項は端末３の入力手段３０９によって入力される（Ｓ３０８）。前記回答事項は、端末３の回答事項送信手段３０５によってセンターシステム２に送信される（Ｓ３０９）。
【００８５】
センターシステム２の回答事項受信手段２４によって、前記回答事項はセンターシステム２に受信される（Ｓ３１０）。センターシステム２のサプリメント購入案作成手段２０４は前記疾患情報及び前記回答事項に基づいて、サプリメント購入案を作成する（Ｓ３１１）。サプリメント購入案とは、例えば購入希望者が摂取するのに最適なサプリメントに関する情報である。購入希望者はこのサプリメント購入案に従って、店舗でサプリメントを購入することができる。
【００８６】
ここで、サプリメント購入案は複数あってもよい。すなわち、複数のサプリメント購入案を用意し、購入希望者がその中の情報から自分に合った情報を選択することもできる。
【００８７】
その後、前記サプリメント購入案は、センターシステム２のサプリメント購入案送信手段２０５によって、端末３に送信される（Ｓ３１２）。前記サプリメント購入案は、端末３のサプリメント購入案受信手段３０３によって受信される（Ｓ３１３）。端末３で受信された前記サプリメント購入案は、端末３の表示手段３０８等によって表示され、購入希望者に開示される。そして、購入希望者は、そのサプリメント購入案に従って、店舗でサプリメントを購入する（Ｓ３１４）。
【００８８】
また、図５のフローチャートには記載されていないが、店舗でのサプリメントの売り上げに関するサプリメント売り上げ情報は、端末３の売り上げ情報送信手段３０７を用いてセンターシステム２に送信される。
【００８９】
前記売り上げ情報は、センターシステム２の、売り上げ情報受信手段２０９によって受信される。センターシステム２の在庫情報更新手段２０７は、前記サプリメント売り上げ情報に基づいて、センターシステム２の在庫情報記憶手段２０６に記憶された在庫情報を更新する。
【００９０】
前記更新後の在庫情報において、店舗の所定のサプリメントが所定の数以下となった場合に、センターシステム２の在庫不足情報送信手段２０８は在庫不足情報を端末３に送信する。これによって、店舗のサプリメントの品切れを防ぐことができる。センターシステム２は、在庫不足情報に従って、不足しているサプリメントを発注する手段を有することもできる。
【００９１】
また、図５のフローチャートには記載されていないが、センターシステム２が受信した前記回答事項及び、前記疾患情報に基づいて、センターシステム２が購入希望者の新たな疾患情報を作成し、端末３に送信することもできる。この場合には、端末３に送信された新たな疾患情報を端末３の疾患情情報更新手段３６が購入希望者の磁気カードに記憶された疾患情報を更新する。
【００９２】
端末で磁気カードに記憶された疾患情報を読み取ってからサプリメントを購入するまでの間、顧客希望者情報、疾患情報、質問事項、回答事項、サプリメント購入案等の情報が端末に一時的に記憶させることが可能である。しかし、それらの情報の中で一時的に端末に記憶された情報については、その秘密性から、サプリメント購入後に速やかにその情報が消去されることが好ましい。
【００９３】
なお、本実施態様では、センターシステム２において、サプリメント購入案を作成している。しかし、その他の実施態様として、端末３で前記疾患情報及び前記回答事項に基づいて、サプリメント購入案を作成することも可能である。
【００９４】
以上、本発明について２つの実施の形態に基づいて詳細に説明した。２つの実施形態では、疾患情報が記憶されている場所が異なっている。すなわち、第１の実施形態では、疾患情報が携帯可能記憶媒体（ＩＣカード）に記憶されているが、第２の実施形態ではセンターシステムに記憶されている。
【００９５】
これらの実施形態を比較すると、秘密保持の観点から、個人の疾患情報の記憶はセンターシステムに記憶する方が望ましい。
【００９６】
【発明の効果】
本発明によって、サプリメント購入希望者の健康状態に合わせて、購入希望者が摂取する必要のある栄養素を分析し、購入希望者毎に最適なサプリメント購入案を提供できるようになる。
【００９７】
また、一般購入希望者が自分自身で健康状態を分析して摂取する栄養素を分析してサプリメントを購入する必要がなくなる。さらに、個人では、調べることのできないような情報、たとえばＳＮＰ解析情報に基づいて、摂取すべき栄養素を分析できるようになるため、一層、的確なサプリメントを提供できるようになる。
【００９８】
さらに、購入の度に購入者の回答事項に基づいて、最適なサプリメント購入案を作成するため、短期間の体の変調にあわせることも可能となる。
【００９９】
また、店舗の在庫をセンターで一括して管理することができるため、各店舗の在庫管理が容易になる。
【図面の簡単な説明】
【図１】ＩＣカードに疾患情報を記憶する購入支援システムにおけるネットワークを示す模式図
【図２】ＩＣカードの発行を示すフローチャート
【図３】ＩＣカードに疾患情報を記憶する購入支援システムにおけるサプリメントの提供過程を示すフローチャート
【図４】センターシステムに疾患情報を記憶する購入支援システムにおけるネットワークを示す模式図
【図５】センターシステムに疾患情報を記憶する購入支援システムにおけるサプリメントの提供過程を示すフローチャート
【符号の説明】
１ａ　ＩＣカード発行システム
１ｂ　磁気カード発行システム
１０１　疾患情報書き込み手段
１０２　疾患情報作成手段
１０３　記憶手段
１０４　購入希望者書き込み手段
２　センターシステム
２００　疾患情報受信手段
２０１　質問事項送信手段
２０２　質問事項作成手段
２０３　回答事項受信手段
２０４　サプリメント購入案作成手段
２０５　サプリメント購入案送信手段
２０６　在庫情報記憶手段
２０７　在庫情報更新手段
２０８　在庫不足情報送信手段
２０９　売り上げ情報受信手段
２１０　購入希望者受信手段
２１１　疾患情報作成手段
２１２　疾患情報記憶手段
３　端末
３０１　疾患情報読取手段
３０２　疾患情報送信手段
３０３　サプリメント購入案受信手段
３０４　質問事項受信手段
３０５　回答事項送信手段
３０６　疾患情報更新手段
３０７　売り上げ情報送信手段
３０８　表示手段
３０９　入力手段
３１０　購入希望者情報読み取り手段
３１１　購入希望者情報送信手段
【図１】
2004013182.tif 000003
【図２】
2004013182.tif 000004
【図３】
2004013182.tif 000005
【図４】
2004013182.tif 000006
【図５】
2004013182.tif 000007